(57)【特許請求の範囲】
【請求項１】
検針メータの指示値表示部に表示された指示値を検針する検針システムであって、
ユーザの操作により前記指示値表示部を撮影する指示値表示部撮影手段と、
前記ユーザの顔を撮影する撮影者撮影手段と、
前記指示値表示部撮影手段により撮影された前記指示値表示部の画像データ及び前記撮影者撮影手段により撮影された前記ユーザの顔の画像データを検針サーバに送信する画像データ送信手段とを備え、
前記検針サーバは、
前記検針メータによる検針対象物の利用を契約した顧客に関する顧客情報と前記検針メータの撮影を許可された１又は複数のユーザの顔の認識用データとを対応付けて記憶する顧客情報記憶手段と、
前記指示値表示部の表示態様を認識するための照合モデルデータと該表示態様に対応する指示値とを記憶する指示値認識用データ記憶手段と、
前記顧客情報記憶手段に記憶された認識用データと前記画像データ送信手段により送信されてきたユーザの顔の画像データとを照合することにより、前記ユーザの顔の認証用データを特定し、該認証用データに対応する顧客情報を特定する顧客認識手段と、
前記指示値認識用データ記憶手段に記憶された照合モデルデータと前記画像データ送信手段により送信されてきた前記指示値表示部の画像データとを照合することにより、前記指示値表示部の表示態様を特定し、該表示態様に対応する指示値を特定する指示値認識手段と、
前記指示値認識手段により特定された指示値と前記顧客認識手段により特定された前記顧客情報及び前記検針メータを撮影した前記ユーザとに基づいて利用料金を算出する料金算出手段と
を備えたことを特徴とする検針システム。
【請求項２】
前記指示値表示部撮影手段により撮影された前記指示値表示部の画像データ及び前記撮影者撮影手段により撮影された前記ユーザの顔の画像データそれぞれには、撮影日時を示す情報が付加されており、前記撮影日時同士の差が所定時間を超えている場合に、前記ユーザが所持する通信端末に確認メッセージを送信する認証確認手段を備えたことを特徴とする請求項１に記載の検針システム。
【請求項３】
前記指示値表示部撮影手段により撮影された前記指示値表示部の画像データ及び前記撮影者撮影手段により撮影された前記ユーザの顔の画像データそれぞれには、撮影場所を示す情報が付加されており、前記撮影場所同士の距離が所定距離を超えている場合に、前記認証確認手段は、前記ユーザが所持する通信端末に確認メッセージを送信することを特徴とする請求項２に記載の検針システム。
【請求項４】
前記検針サーバは、
顧客毎の検針周期を記憶する検針周期記憶手段と、
前記検針周期記憶手段に記憶されている検針周期毎に、検針時期が到来した旨のメッセージを前記顧客が所持する通信端末に送信する検針時期通知手段と、
前記検針時期通知手段によりメッセージを送信した時点から所定期間が経過しても前記画像データ送信手段から画像データが送信されてこなかった場合に、検針員が所持する通信端末に対して前記顧客が契約している検針メータの検針を依頼するメッセージを送信する検針代行依頼手段とを備えたことを特徴とする請求項１から３の何れか１項に記載の検針システム。
【請求項５】
前記料金算出手段は、前記検針周期記憶手段に記憶されている検針周期に基づいて、前記顧客の利用料金を算出することを特徴とする請求項４に記載の検針システム。
【請求項６】
前記指示値認識手段は、
前記指示値表示部の画像データのうち数字部分を黒色に変換し、前記数字部分以外の部分を白色に変換した上で、該指示値表示部の画像データと、前記指示値認識用データ記憶手段に記憶された照合モデルデータとを照合することを特徴とする請求項１から５の何れか１項に記載の検針システム。
【請求項７】
検針メータによる検針対象物の利用を契約した顧客に関する顧客情報と前記検針メータの撮影を許可された１又は複数のユーザの顔の認識用データとを対応付けて記憶する顧客情報記憶手段と、前記検針メータの指示値表示部の表示態様を認識するための照合モデルデータと該表示態様に対応する指示値とを記憶する指示値認識用データ記憶手段とを備えた検針システムが前記検針メータの前記指示値表示部に表示された指示値を検針する検針方法であって、
ユーザの操作により撮像手段が前記指示値表示部を撮影する指示値表示部撮影ステップと、
前記撮像手段が前記ユーザの顔を撮影する撮影者撮影ステップと、
通信端末が、前記指示値表示部撮影ステップにおいて撮影された前記指示値表示部の画像データ及び前記撮影者撮影ステップにおいて撮影された前記ユーザの顔の画像データを、検針サーバに送信する画像データ送信ステップと、
前記検針サーバが、前記顧客情報記憶手段に記憶された前記認識用データと前記画像データ送信ステップにおいて送信されてきた前記ユーザの顔の画像データとを照合することにより、前記ユーザの顔の認証用データを特定し、該認証用データに対応する顧客情報を特定する顧客認識ステップと、
前記指示値認識用データ記憶手段に記憶された前記照合モデルデータと前記画像データ送信ステップにおいて送信されてきた前記指示値表示部の画像データとを照合することにより、前記指示値表示部の表示態様を特定し、該表示態様に対応する指示値を特定する指示値認識ステップと、
前記指示値認識ステップにおいて特定された指示値及び前記顧客認識ステップにおいて特定された前記顧客情報及び前記検針メータを撮影した前記ユーザとに基づいて利用料金を算出する料金算出ステップと
を備えたことを特徴とする検針方法。
【請求項８】
検針メータの指示値表示部に表示された指示値を検針する検針システムであって、
前記指示値を発声したユーザの音声を入力する音声入力手段と、
前記ユーザの顔を撮影する発声者撮影手段と、
前記音声入力手段により入力された音声を示す音声データ及び前記発声者撮影手段により撮影された前記ユーザの顔の画像データを検針サーバに送信する検針用データ送信手段とを備え、
前記検針サーバは、
前記検針メータによる検針対象物の利用を契約した顧客に関する顧客情報と前記検針メータの検針を許可された１又は複数のユーザの顔の認識用データとを対応付けて記憶する顧客情報記憶手段と、
音声を認識するための複数のパターン候補を記憶する音声認識辞書記憶手段と、
前記顧客情報記憶手段に記憶された認識用データと前記検針用データ送信手段により送信されてきたユーザの顔の画像データとを照合することにより、前記ユーザの顔の認証用データを特定し、該認証用データに対応する顧客情報を特定する顧客認識手段と、
前記音声認識辞書記憶手段に記憶されたパターン候補と前記検針用データ送信手段により送信されてきた音声データとを照合することにより、前記音声データで示される指示値を認識する指示値認識手段と、
前記指示値認識手段により認識した指示値に対応するテキストデータを前記音声データの送信元に返信する認識音声確認手段と、
前記指示値認識手段により認識された指示値と前記顧客認識手段により特定された前記顧客情報及び前記音声を入力した前記ユーザとに基づいて利用料金を算出する料金算出手段と
を備えたことを特徴とする検針システム。
【請求項９】
検針メータによる検針対象物の利用を契約した顧客に関する顧客情報と前記検針メータの撮影を許可された１又は複数のユーザの顔の認識用データとを対応付けて記憶する顧客情報記憶手段と、音声を認識するための複数のパターン候補を記憶する音声認識辞書記憶手段とを備えた検針システムが前記検針メータの前記指示値表示部に表示された指示値を検針する検針方法であって、
ユーザの操作により、撮像手段がユーザの顔を撮影する撮影ステップと、
前記指示値を発声したユーザの音声を入力する音声入力手段と、
通信端末が、前記撮影ステップにおいて撮影された前記ユーザの顔の画像データを、検針サーバに送信する送信ステップと、
前記検針サーバが、前記顧客情報記憶手段に記憶された前記認識用データと前記検針データ送信ステップにおいて送信されてきた前記ユーザの顔の画像データとを照合することにより、前記ユーザの顔の認証用データを特定し、該認証用データに対応する顧客情報を特定する顧客認識ステップと、
前記検針サーバが、前記音声認識辞書記憶手段に記憶されたパターン候補と、前記検針用データ送信手段により送信されてきた音声データとを照合することにより、前記音声データで示される指示値を認識する指示値認識ステップと、
前記指示値認識ステップにおいて認識した指示値に対応するテキストデータを前記通信端末に返信する認識音声確認ステップと、
前記指示値認識ステップにおいて認識された指示値と前記顧客認識ステップにおいて特定された前記顧客情報及び前記音声を入力した前記ユーザとに基づいて利用料金を算出する料金算出ステップと
を備えたことを特徴とする検針方法。
【発明の詳細な説明】
【技術分野】
【０００１】
本発明は、電気メータ、ガスメータ、水道メータ等の各種検針メータを検針する検針システム及び検針方法に関する。
【背景技術】
【０００２】
従来、電気メータ、ガスメータ、水道メータ等の各種検針メータの検針を行う際には、電気、ガス、上水等を供給する供給会社の検針員が、定期的に検針メータが設置されている顧客宅やビル等を訪れ、検針メータの指示値を目視で読み取って、検針器に入力していた。このような検針方法では、手間がかかって効率が悪い上に、供給会社は多くの検針員を雇用する必要がありコスト高となっていた。また、指示値の読み取り誤りが発生したり、読み取った指示値を検針器に入力する際に入力誤りが発生するという問題があった。
【０００３】
このような問題点を解決するために、顧客がデジタルカメラやカメラが搭載された携帯端末を用いて検針メータを撮影し、画像処理により指示値を読み取る技術が存在する（例えば、特許文献１参照）。特許文献１では、顧客が検針メータの指示値と計器識別番号を撮影して、撮影した画像を供給会社のサーバに送信し、供給会社のサーバで画像から指示値と計器識別番号とを認識する。
また、顧客による検針に対する対価として、料金値引きなどのサービスを提供する技術も存在する（例えば、特許文献２参照）。
【先行技術文献】
【特許文献】
【０００４】
【特許文献１】特開２０１１−２８７８号公報
【特許文献２】特開２００４−９４７６６号公報
【発明の概要】
【発明が解決しようとする課題】
【０００５】
しかしながら、特許文献１に記載の技術においては、撮影された画像から指示値と計器識別番号を認識することができるが、誰が画像を撮影したかのかを正確に把握することができない。誰が画像を撮影したのかを把握できないと、顧客が撮影したのか検針員が撮影したのかを把握できなくなり、顧客が撮影した場合に料金値引き等を行うサービスを提供することができない。また、画像を撮影した者を特定できないことは、セキュリティ上問題があり、料金値引き等のために不正が発生するのを防止することができない。
【０００６】
本発明は、上述した問題点を解決するためになされたものであり、誰が検針したかを正確に把握し、利用料金を算出することができる検針システム及び検針方法を提供することを目的とする。
【０００７】
また、検針メータを撮影し、当該撮影した画像データを解析して検針を行う場合に、誰が検針メータを撮影したかを正確に把握し、利用料金を算出することができる検針システム及び検針方法を提供する。
また、ユーザが読み取った検針メータの指示値を発声する場合に、誰が発声したかを正確に把握し、利用料金を算出することができる検針システム及び検針方法を提供する。
【課題を解決するための手段】
【０００８】
上記目的の少なくとも１つを達成するために、本発明に係る検針システムは、検針メータの指示値表示部に表示された指示値を検針する検針システムであって、ユーザの操作により前記指示値表示部を撮影する指示値表示部撮影手段と、前記ユーザの顔を撮影する撮影者撮影手段と、前記指示値表示部撮影手段により撮影された前記指示値表示部の画像データ及び前記撮影者撮影手段により撮影された前記ユーザの顔の画像データを検針サーバに送信する画像データ送信手段とを備え、前記検針サーバは、前記検針メータによる検針対象物の利用を契約した顧客に関する顧客情報と前記検針メータの撮影を許可された１又は複数のユーザの顔の認識用データとを対応付けて記憶する顧客情報記憶手段と、前記指示値表示部の表示態様を認識するための照合モデルデータと該表示態様に対応する指示値とを記憶する指示値認識用データ記憶手段と、前記顧客情報記憶手段に記憶された認識用データと前記画像データ送信手段により送信されてきたユーザの顔の画像データとを照合することにより、前記ユーザの顔の認証用データを特定し、該認証用データに対応する顧客情報を特定する顧客認識手段と、前記指示値認識用データ記憶手段に記憶された照合モデルデータと前記画像データ送信手段により送信されてきた前記指示値表示部の画像データとを照合することにより、前記指示値表示部の表示態様を特定し、該表示態様に対応する指示値を特定する指示値認識手段と、前記指示値認識手段により特定された指示値と前記顧客認識手段により特定された前記顧客情報及び前記検針メータを撮影した前記ユーザとに基づいて利用料金を算出する料金算出手段とを備えたことを特徴とする。
【０００９】
本発明によれば、検針システムは、前記顧客情報記憶手段に記憶された認識用データと前記画像データ送信手段により送信されてきたユーザの顔の画像データとを照合することにより、前記ユーザの顔の認証用データを特定し、該認証用データに対応する顧客情報を特定し、前記指示値認識用データ記憶手段に記憶された照合モデルデータと前記画像データ送信手段により送信されてきた前記指示値表示部の画像データとを照合することにより、前記指示値表示部の表示態様を特定し、該表示態様に対応する指示値を特定し、該特定された指示値と前記顧客情報及び前記検針メータを撮影した前記ユーザとに基づいて利用料金を算出するため、誰が検針したかを正確に把握し、利用料金を算出することができる。
【００１０】
上記発明において、前記指示値表示部撮影手段により撮影された前記指示値表示部の画像データ及び前記撮影者撮影手段により撮影された前記ユーザの顔の画像データそれぞれには、撮影日時を示す情報が付加されており、前記撮影日時同士の差が所定時間を超えている場合に、前記ユーザが所持する通信端末に確認メッセージを送信する認証確認手段を備えたことを特徴とする。
【００１１】
本発明によれば、指示値表示部の画像データの撮影日時と、ユーザの顔の画像データの撮影日時との差が所定時間を超えている場合に、検針メータの指示値表示部を撮影したユーザと、顔の画像データで特定されるユーザとが異なる可能性があるため、ユーザが所持する通信端末に確認メッセージを送信して、撮影者の正当性を確認することができる。
【００１２】
上記発明において、前記指示値表示部撮影手段により撮影された前記指示値表示部の画像データ及び前記撮影者撮影手段により撮影された前記ユーザの顔の画像データそれぞれには、撮影場所を示す情報が付加されており、前記撮影場所同士の距離が所定距離を超えている場合に、前記認証確認手段は、前記ユーザが所持する通信端末に確認メッセージを送信することを特徴とする。
【００１３】
本発明によれば、指示値表示部の画像データの撮影場所と、ユーザの顔の画像データの撮影場所との距離の差が所定距離を超えている場合に、検針メータの指示値表示部を撮影したユーザと、顔の画像データで特定されるユーザとが異なる可能性があるため、ユーザが所持する通信端末に確認メッセージを送信して、撮影者の正当性を確認することができる。
【００１４】
上記発明において、前記検針サーバは、顧客毎の検針周期を記憶する検針周期記憶手段と、前記検針周期記憶手段に記憶されている検針周期毎に、検針時期が到来した旨のメッセージを前記顧客が所持する通信端末に送信する検針時期通知手段と、前記検針時期通知手段によりメッセージを送信した時点から所定期間が経過しても前記画像データ送信手段から画像データが送信されてこなかった場合に、検針員が所持する通信端末に対して前記顧客が契約している検針メータの検針を依頼するメッセージを送信する検針代行依頼手段とを備えたことを特徴とする。
【００１５】
本発明によれば、前記検針時期通知手段によりメッセージを送信した時点から所定期間が経過しても前記画像データ送信手段から画像データが送信されてこなかった場合に、検針員が所持する通信端末に対して前記顧客が契約している検針メータの検針を依頼するメッセージを送信することで、長期間検針がされない状態となるのを防ぐことができる。
【００１６】
上記発明において、前記指示値認識手段は、前記指示値表示部の画像データのうち数字部分を黒色に変換し、前記数字部分以外の部分を白色に変換した上で、該指示値表示部の画像データと、前記指示値認識用データ記憶手段に記憶された照合モデルデータとを照合することを特徴とする。
【００１７】
上記発明において、前記料金算出手段は、前記検針周期記憶手段に記憶されている検針周期に基づいて、前記顧客の利用料金を算出することを特徴とする。
本発明によれば、顧客の検針周期に応じて柔軟に利用料金を決定することができる。
【００１８】
本発明によれば、前記指示値認識手段は、前記指示値表示部の画像データのうち数字部分を黒色に変換し、前記数字部分以外の部分を白色に変換して、指示値表示部の画像データと照合モデルデータとの２値化のパターンを統一することで、認識精度を向上させることができる。
【００１９】
また、本発明に係る検針方法は、検針メータによる検針対象物の利用を契約した顧客に関する顧客情報と前記検針メータの撮影を許可された１又は複数のユーザの顔の認識用データとを対応付けて記憶する顧客情報記憶手段と、前記検針メータの指示値表示部の表示態様を認識するための照合モデルデータと該表示態様に対応する指示値とを記憶する指示値認識用データ記憶手段とを備えた検針システムが前記検針メータの前記指示値表示部に表示された指示値を検針する検針方法であって、ユーザの操作により撮像手段が前記指示値表示部を撮影する指示値表示部撮影ステップと、前記撮像手段が前記ユーザの顔を撮影する撮影者撮影ステップと、通信端末が、前記指示値表示部撮影ステップにおいて撮影された前記指示値表示部の画像データ及び前記撮影者撮影ステップにおいて撮影された前記ユーザの顔の画像データを、検針サーバに送信する画像データ送信ステップと、前記検針サーバが、前記顧客情報記憶手段に記憶された前記認識用データと前記画像データ送信ステップにおいて送信されてきた前記ユーザの顔の画像データとを照合することにより、前記ユーザの顔の認証用データを特定し、該認証用データに対応する顧客情報を特定する顧客認識ステップと、前記指示値認識用データ記憶手段に記憶された前記照合モデルデータと前記画像データ送信ステップにおいて送信されてきた前記指示値表示部の画像データとを照合することにより、前記指示値表示部の表示態様を特定し、該表示態様に対応する指示値を特定する指示値認識ステップと、前記指示値認識ステップにおいて特定された指示値及び前記顧客認識ステップにおいて特定された前記顧客情報及び前記検針メータを撮影した前記ユーザとに基づいて利用料金を算出する料金算出ステップとを備えたことを特徴とする。
【００２０】
また、本発明に係る検針システムは、検針メータの指示値表示部に表示された指示値を検針する検針システムであって、前記指示値を発声したユーザの音声を入力する音声入力手段と、前記ユーザの顔を撮影する発声者撮影手段と、前記音声入力手段により入力された音声を示す音声データ及び前記発声者撮影手段により撮影された前記ユーザの顔の画像データを検針サーバに送信する検針用データ送信手段とを備え、前記検針サーバは、前記検針メータによる検針対象物の利用を契約した顧客に関する顧客情報と前記検針メータの検針を許可された１又は複数のユーザの顔の認識用データとを対応付けて記憶する顧客情報記憶手段と、音声を認識するための複数のパターン候補を記憶する音声認識辞書記憶手段と、前記顧客情報記憶手段に記憶された認識用データと前記検針用データ送信手段により送信されてきたユーザの顔の画像データとを照合することにより、前記ユーザの顔の認証用データを特定し、該認証用データに対応する顧客情報を特定する顧客認識手段と、前記音声認識辞書記憶手段に記憶されたパターン候補と前記検針用データ送信手段により送信されてきた音声データとを照合することにより、前記音声データで示される指示値を認識する指示値認識手段と、前記指示値認識手段により認識した指示値に対応するテキストデータを前記音声データの送信元に返信する認識音声確認手段と、前記指示値認識手段により認識された指示値と前記顧客認識手段により特定された前記顧客情報及び前記音声を入力した前記ユーザとに基づいて利用料金を算出する料金算出手段とを備えたことを特徴とする。
【００２１】
本発明によれば、検針システムは、前記顧客情報記憶手段に記憶された認識用データと前記検針用データ送信手段により送信されてきたユーザの顔の画像データとを照合することにより、前記ユーザの顔の認証用データを特定し、該認証用データに対応する顧客情報を特定し、前記音声認識辞書記憶手段に記憶されたパターン候補と前記検針用データ送信手段により送信されてきた音声データとを照合することにより、前記音声データで示される指示値を認識し、前記指示値認識手段により認識した指示値に対応するテキストデータを前記音声データの送信元に返信し、前記指示値認識手段により認識された指示値と前記顧客認識手段により特定された前記顧客情報及び前記音声を入力した前記ユーザとに基づいて利用料金を算出するため、誰が検針したかを正確に把握し、利用料金を算出することができる。
【００２２】
また、本発明に係る検針方法は、検針メータによる検針対象物の利用を契約した顧客に関する顧客情報と前記検針メータの撮影を許可された１又は複数のユーザの顔の認識用データとを対応付けて記憶する顧客情報記憶手段と、音声を認識するための複数のパターン候補を記憶する音声認識辞書記憶手段とを備えた検針システムが前記検針メータの前記指示値表示部に表示された指示値を検針する検針方法であって、ユーザの操作により、撮像手段がユーザの顔を撮影する撮影ステップと、前記指示値を発声したユーザの音声を入力する音声入力手段と、通信端末が、前記撮影ステップにおいて撮影された前記ユーザの顔の画像データを、検針サーバに送信する送信ステップと、前記検針サーバが、前記顧客情報記憶手段に記憶された前記認識用データと前記検針データ送信ステップにおいて送信されてきた前記ユーザの顔の画像データとを照合することにより、前記ユーザの顔の認証用データを特定し、該認証用データに対応する顧客情報を特定する顧客認識ステップと、前記検針サーバが、前記音声認識辞書記憶手段に記憶されたパターン候補と、前記検針用データ送信手段により送信されてきた音声データとを照合することにより、前記音声データで示される指示値を認識する指示値認識ステップと、前記指示値認識ステップにおいて認識した指示値に対応するテキストデータを前記通信端末に返信する認識音声確認ステップと、前記指示値認識ステップにおいて認識された指示値と前記顧客認識ステップにおいて特定された前記顧客情報及び前記音声を入力した前記ユーザとに基づいて利用料金を算出する料金算出ステップとを備えたことを特徴とする。
【発明の効果】
【００２３】
本発明によれば、検針システムは、前記顧客情報記憶手段に記憶された認識用データと前記画像データ送信手段により送信されてきたユーザの顔の画像データとを照合することにより、前記ユーザの顔の認証用データを特定し、該認証用データに対応する顧客情報を特定し、前記指示値認識用データ記憶手段に記憶された照合モデルデータと前記画像データ送信手段により送信されてきた前記指示値表示部の画像データとを照合することにより、前記指示値表示部の表示態様を特定し、該表示態様に対応する指示値を特定し、該特定された指示値と前記顧客情報及び前記検針メータを撮影した前記ユーザとに基づいて利用料金を算出するため、誰が検針したかを正確に把握し、利用料金を算出することができる。
【図面の簡単な説明】
【００２４】
【図１】本発明の第１実施形態に係る検針システムの全体構成を示す図である。
【図２】ガスメータの正面図である。
【図３】指示値認識用ＤＢのデータ構成の一例を示す図である。
【図４】分割態様で表示された指示値表示部の一例を示す図である。
【図５】顧客ＤＢのデータ構成の一例を示す図である。
【図６】検針周期ＤＢのデータ構成の一例を示す図である。
【図７】料金ＤＢのデータ構成の一例を示す図である。
【図８】検針値記憶ＤＢのデータ構成の一例を示す図である。
【図９】検針サーバの機能構成を示すブロック図である。
【図１０】指示値表示部の画像データに付加されている日時情報で示される撮影日時及び位置情報で示される撮影場所と、ユーザの顔の画像データに付加されている日時情報で示される撮影日時及び位置情報で示される撮影場所との関係を説明するための図である。
【図１１】同実施形態に係る検針システムが行う検針の手順を示すフローチャートである。
【図１２】同実施形態に係る検針システムが行う検針の手順を示すフローチャートである。
【図１３】第２実施形態に係る検針システムの検針サーバの機能構成を示すブロック図である。
【図１４】同実施形態に係る検針システムが行う検針の手順を示すフローチャートである。
【発明を実施するための形態】
【００２５】
以下、本発明に係る検針システムを、ガスメータの検針に用いる場合の実施形態を、図面を参照して詳細に説明する。なお、本発明は、ガスメータに限らず、電気メータ、水道メータ、流量を測定するアナログ検針メータ等の様々なメータの検針に適用可能である。
【００２６】
（第１実施形態）
図１は、本発明の第１実施形態に係る検針システム１の全体構成を示す図である。同図に示すように、本実施形態に係る検針システム１は、通信端末１００と、検針サーバ２００と、これらの装置を通信可能に接続する通信ネットワーク３００と、を備えている。
【００２７】
通信端末１００は、ガスメータ４００やユーザの顔を撮影するためのものであり、ガスメータ４００により使用量が測定されるガスの利用を契約した顧客（契約者）や、検針員が所持する。通信端末１００は、携帯情報端末、携帯電話機、パーソナルコンピュータ等の何れでもよいが、ここでは、通信端末１００として主に携帯情報端末を用いる場合について説明する。
【００２８】
通信端末１００は、撮影手段としてのカメラ２と、入出力兼用の入出力パネル３とを備えている。また、通信端末１００は、図示せぬ、ＣＰＵ（Central Processing Unit）と、ＲＯＭ（Read-Only Memory）、ＲＡＭ（Random Access Memory）、ＥＥＰＲＯＭ（Electrically Erasable Programmable Read-Only Memory）等の記憶装置と、無線通信を制御する通信インターフェースと、日時を計時する内部時計と、通信端末１００の位置情報を取得するＧＰＳ（Global Positioning System）と、を備えている。通信端末１００の記憶装置には、検針用アプリケーションプログラム等の各種プログラムが記憶されている。
【００２９】
通信端末１００は、当該検針用アプリケーションプログラムに従って処理を実行することにより、ユーザの操作によりカメラ２でガスメータ４００の指示値表示部４０を撮影する機能（「指示値表示部撮影手段」に対応）と、当該ガスメータ４００を撮影した前記ユーザの顔をカメラ２で撮影する機能（「撮影者撮影手段」に対応）と、当該撮影された画像データに日時情報及び位置情報を付加して、通信インターフェースから通信ネットワーク３００を経由して検針サーバ２００に送信する機能（「画像データ送信手段」に対応）とを実現する。
【００３０】
なお、通信端末１００としてパーソナルコンピュータを用いる場合には、撮像手段として図１に示すデジタルカメラ５を用いることができる。図１に示すように、デジタルカメラ５は、本体にＣＣＤ型の撮像素子（不図示）を内蔵し、背面に撮影時にファインダーとして機能する液晶ディスプレイ５Ｄを備える。デジタルカメラ５で撮影した画像データを記憶メディア８に保存し、通信端末１００のカードスロット等にセットすることで、画像データを通信端末１００の記憶装置に取り込むことができる。
【００３１】
図２は、ガスメータ４００の正面図である。同図に示すように、ガスメータ４００は、指示値を示す指示値表示部４０を備えている。指示値表示部４０には、複数の数字車４０Ａ、４０Ｂ、…、４０Ｇが配列されている。各数字車４０Ａ、４０Ｂ、…、４０Ｇの円筒部の表面には、０〜９までの数字を示す数字図柄が配置されている。ガスメータ４００は、各数字車４０Ａ、４０Ｂ、…、４０Ｇを機械的に回転させることによって、指示値表示部４０の枠内に露出した数字図柄を現在の指示値として示す。なお、図２では、指示値表示部４０に７つの数字車４０Ａ、４０Ｂ、…、４０Ｇが配列され、４つの数字車４０Ａ、４０Ｂ、４０Ｃ、４０Ｄが整数部分、３つの数字車４０Ｅ、４０Ｆ、４０Ｇが少数部分を表しているが、整数部分と少数部分の桁数は一例に過ぎず、任意の桁数とすることができる。
【００３２】
（検針サーバの構成）
次に、検針サーバ２００の構成について説明する。検針サーバ２００は、図示せぬ、ＣＰＵと、ＲＯＭ、ＲＡＭ、ハードディスク等の記憶装置と、通信インターフェースとを備えている。記憶装置には、各種の機能を実現するためのプログラムやデータが記憶されている。
【００３３】
検針サーバ２００のハードディスクには、指示値認識用ＤＢ（「指示値認識用データ記憶手段」に対応）２１と、顧客ＤＢ（「顧客情報記憶手段」に対応）２２と、検針周期ＤＢ（「検針周期記憶手段」に対応）２３と、料金ＤＢ２４と、検針値記憶ＤＢ２５と、が設けられている。
【００３４】
指示値認識用ＤＢ２１は、指示値表示部４０の表示態様を認識するための「照合モデルデータ」と、当該表示態様に対応する「数字（指示値）」と、対応付けて記憶する。図３には、指示値認識用ＤＢ２１のデータ構成の一例を示す。
【００３５】
「照合モデルデータ」には、公知のパターン認識を行うための照合モデルが記憶されている。この照合モデルには、指示値表示部４０の枠内に１つの数字の全体が表示される「通常モデル」と、指示値表示部４０の枠内に１つの数字の下部と当該１つの数字よりも１大きい数字の上部が表示される「分割モデル」と、が存在する。分割モデルは、図４に示すような表示態様の指示値の認識を行うためのものである。
【００３６】
指示値認識用ＤＢ２１の「照合モデルデータ」が通常モデルである場合、図３に示すように、対応する「数字」は、指示値表示部４０に表示される数字そのものである。また、指示値認識用ＤＢ２１の「照合モデルデータ」が分割モデルである場合、対応する「数字」は、２つの数字のうち下部が表示された数字（小さい方の数字）となっている。これは、数字を切り捨てにするためである。なお、本実施形態では、切り捨てにしたが、これに限らず、切り上げでもよい。
【００３７】
顧客ＤＢ２２は、ガスメータ４００により使用量が計測されるガスの利用を契約した顧客に関する顧客情報と、当該ガスメータ４００の撮影を許可された１又は複数のユーザの顔の認識用データと、を対応付けて記憶する。図５は、顧客ＤＢ２２のデータ構成の一例である。同図に示すように、顧客ＤＢ２２は、ガスメータ４００の撮影を許可されたユーザの顔の撮影画像から予め作成された顔パターン認識用の「顔認識用データ」と、顧客を識別する「顧客番号」と、顧客の「氏名」と、顧客の「住所」と、顧客宅のガスメータ４００を識別する「機器番号（ガス）」と、顧客宅の水道メータを識別する「機器番号（水道）」と、顧客宅の電気メータを識別する「機器番号（電気）」と、顔認識用データで特定される顔のユーザが顧客（契約者）に対してどのような関係にあるのかを表す「顔種別」と、当該ユーザが所持する通信端末の「電子メールアドレス」と、が記憶されている。
【００３８】
検針周期ＤＢ２３は、顧客毎の検針周期を記憶する。図６には、検針周期ＤＢ２３のデータ構成の一例を示す。このデータは、契約時の顧客の選択により予め登録される。
料金ＤＢ２４は、検針周期とガスメータ４００を撮影したユーザに応じた割引率を記憶する。図７には、料金ＤＢ２４のデータ構成の一例を示す。
【００３９】
例えば、検針周期が「１月」の場合、契約者（顧客）とその配偶者がガスメータ４００を撮影した場合には、ガス料金の顧客に対する割引率は５％である。また、契約者の子供がガスメータ４００を撮影した場合には顧客に対する割引率は４％であり、子供への報酬の分配率はガス料金の１％である。この１％分の金額は、予め登録された金融機関の口座に振り込まれる。また、顧客等が撮影せずに検針員がガスメータ４００を撮影した場合には、顧客に対するガス料金の割引率は０％であり、検針員への分配率がガス料金の５％である。この５％分の金額は、検針員への報酬として、予め登録された金融機関の口座に振り込まれる。
【００４０】
検針値記憶ＤＢ２５には、ガスメータ４００を検針する毎に、履歴として指示値や料金が記憶される。図８には、検針値記憶ＤＢ２５のデータ構成の一例を示す。同図に示すように、検針値記憶ＤＢ２５には、「顧客番号」と、ガスメータ４００が撮影された日付である「検針日」と、ガスメータ４００の指示値表示部４０が撮影された画像データから認識された「指示値」と、前回の指示値と今回の指示値とから算出した「使用量」と、使用量と料金ＤＢ２４に基づいて算出された「料金」と、が記憶される。
【００４１】
また、検針サーバ２００は、主な機能として、図９に示すように、指示値認識手段２０１と、顧客認識手段２０２と、検針時期通知手段２０３と、検針代行依頼手段２０４と、料金算出手段２０５と、認証確認手段２０６と、を備えている。これらの機能は、検針サーバ２００が備えるＣＰＵが記憶装置に記憶されたプログラムに従って処理を実行することにより実現される。
【００４２】
指示値認識手段２０１は、指示値認識用ＤＢ２１に記憶された照合モデルデータと、通信端末１００から送信されてきたガスメータ４００の指示値表示部４０の数字車毎の画像データとを照合することにより、類似度が最も高い照合モデルデータを判定する。類似度が最も高い照合モデルデータで示される表示態様が、指示値表示部４０の表示態様となる。そして、指示値認識手段２０１は、指示値認識用ＤＢ２１から、当該特定した照合モデルデータに対応する指示値（数字）を特定する。
【００４３】
なお、指示値認識手段２０１は、照合を行う際に、指示値表示部４０の画像データのうち数字部分を黒色に変換し、数字部分以外の部分を白色に変換した上で、照合を行う。このような変換を行うことで、照合モデルデータと照合対象の画像データとの２値化のパターンを統一することができ、認識精度を向上させることができる。
【００４４】
顧客認識手段２０２は、顧客ＤＢ２２に記憶されている認識用データと、通信端末１００から送信されてきたユーザの顔の画像データとを照合することにより、ガスメータ４００を撮影したユーザを特定し、顧客ＤＢ２２から当該ユーザの顔の認証用データに対応する顧客情報を特定する。
【００４５】
検針時期通知手段２０３は、検針周期ＤＢ２３に記憶されている検針周期毎に、検針時期が到来した旨のメッセージを、顧客が所持する通信端末１００に送信する。
検針代行依頼手段２０４は、検針時期通知手段２０３によりメッセージを送信した時点から予め定めておいた所定期間が経過しても、通信端末１００から画像データが送信されて来なかった場合に、顧客のガスメータ４００が設置されている地域を担当する検針員の電子メールアドレスを顧客ＤＢ２２から取得し、当該検針員が所持する通信端末１００に対して、ガスメータ４００の検針を依頼するメッセージを送信する。
【００４６】
料金算出手段２０５は、指示値認識手段２０１により特定された指示値と、顧客認識手段２０２により特定された、ガスメータ４００を撮影したユーザ及び顧客情報とに基づいて利用料金を算出する。
【００４７】
具体的には、料金算出手段２０５は、指示値認識手段２０１により特定された今回の指示値から、検針値記憶ＤＢ２５に記憶されている前回の指示値を減算することにより、今回の検針値を算出する。そして、検針周期ＤＢ２３に記憶されている顧客の検針周期、及びガスメータ４００を撮影したユーザに応じた割引率を、料金ＤＢ２４を参照して判定し、当該割引率を加味した利用料金を算出する。
【００４８】
認証確認手段２０６は、ガスメータ４００を撮影したユーザが、ガスメータ４００の指示値表示部４０の画像データとともに送信されてきたユーザの顔の画像データで特定されるユーザと同一であることを確認する。
【００４９】
具体的には、図１０に示すように、指示値表示部４０の画像データＧ１に付加されている日時情報で示される撮影日時と、ユーザの顔の画像データＧ２に付加されている日時情報で示される撮影日時と、が予め定められた所定時間を超えている場合に、前記ユーザがガスメータ４００を撮影したことを確認するために、ユーザが所持する通信端末１００に確認メッセージを送信する。
【００５０】
また、認証確認手段２０６は、指示値表示部４０の画像データＧ１に付加されている位置情報で示される撮影場所と、ユーザの顔の画像データＧ２に付加されている位置情報で示される撮影場所との距離が予め定められた所定距離を超えている場合に、前記ユーザがガスメータ４００を撮影したことを確認するために、ユーザが所持する通信端末１００に確認メッセージを送信する。
【００５１】
（動作例）
次に、図１１及び図１２に示すフローチャートを参照して、上記構成の検針システム１が行う検針の手順について説明する。
検針サーバ２００は、検針周期ＤＢ２３に記憶されている顧客毎の検針周期に基づいて、検針を実施する時期を管理している。ある顧客について検針を実施する時期となった場合に、検針サーバ２００の検針時期通知手段２０３は、当該顧客の通信端末１００に対して、検針時期が到来した旨のメッセージを送信する（図１１のステップＳ１０１）。
【００５２】
検針時期通知手段２０３によりメッセージを送信した時点から予め定められた所定期間が経過しても、ガスメータ４００及びユーザの顔を撮影した画像データが送信されて来なかった場合に（ステップＳ１０２のＹｅｓ）、検針代行依頼手段２０４は、顧客のガスメータ４００が設置されている地域を担当する検針員の電子メールアドレスを顧客ＤＢ２２から取得し、当該検針員が所持する通信端末１００に対して、ガスメータ４００の検針を依頼するメッセージを送信する（ステップＳ１０３）。
【００５３】
ユーザ（ステップＳ１０１で検針時期の通知を受けた顧客、又はステップＳ１０３で検針代行依頼を受けた検針員）は、ガスメータ４００が設置されている場所に行き、通信端末１００を操作して検針用アプリケーションプログラムを起動する。そして、入出力パネル３に表示されるガイダンスに従って、ガスメータ４００の指示値表示部４０を撮影する操作を行う。これにより、通信端末１００のカメラ２は、指示値表示部４０を撮影する（図１２のステップＳ２０１）。このとき、通信端末１００は、内部時計から現在日時を取得するとともに、ＧＰＳから位置情報を取得し、撮影日時及び撮影場所を示す情報を撮影した指示値表示部４０の画像データに付加する。
【００５４】
次に、ユーザは、自己の顔を撮影する操作を行う。これにより、通信端末１００のカメラ２は、ユーザの顔を撮影する（ステップＳ２０２）。このとき、通信端末１００は、内部時計から現在日時を取得するとともに、ＧＰＳから位置情報を取得し、撮影日時及び撮影場所を示す情報を撮影したユーザの顔の画像データに付加する。
【００５５】
次に、ユーザは、撮影した指示値表示部４０の画像データ及びユーザの顔の画像データを送信する操作を行う。これにより、通信端末１００は、指示値表示部４０の画像データ及びユーザの顔の画像データを検針サーバ２００に送信する（ステップＳ２０３）。
【００５６】
通信端末１００から画像データを受信すると、検針サーバ２００の顧客認識手段２０２は、受信したユーザの顔の画像データと、顧客ＤＢ２２に記憶されている顔認識用データとを照合し、ユーザの顔の画像データと最も類似度が高い顔認識用データを特定する。そして、顧客認識手段２０２は、当該特定した顔認識用データに対応付けられている顧客情報を顧客ＤＢ２２から取得する（ステップＳ２０４）。なお、顧客情報を取得できなかった場合には、エラーメッセージを返信するようにしてもよい。
【００５７】
次に、検針サーバ２００の指示値認識手段２０１は、受信した指示値表示部４０の画像データのうち数字部分を認識し、当該数字部分を黒色に変換するとともに、数字部分以外の部分を白色に変換することで、２値化処理を行う。そして、指示値認識手段２０１は、当該２値化処理した画像データのうち、指示値表示部４０に配列された複数の各数字車の画像データ毎に、指示値認識用ＤＢ２１に記憶された各照合モデルデータを照合する。そして、指示値認識手段２０１は、指示値表示部４０の画像データと最も類似度の高い照合モデルデータを判別することにより、指示値表示部４０の表示態様を特定する。指示値認識手段２０１は、当該認識した表示態様に対応する数字を指示値認識用ＤＢ２１から取得する。この処理を数字車毎（桁毎）に行うことにより、指示値を判別する（ステップＳ２０５）。
【００５８】
次に、認証確認手段２０６は、受信した指示値表示部４０の画像データに付加されている日時情報で示される撮影日時と、ユーザの顔の画像データに付加されている日時情報で示される撮影日時とを比較する。そして、当該撮影日時同士が予め定められた所定時間を超えている場合に、前記ユーザ自身がガスメータ４００を撮影したか否かを確認するために、前記ユーザが所持する通信端末１００に確認メッセージを送信する。
【００５９】
また、認証確認手段２０６は、指示値表示部４０の画像データに付加されている位置情報で示される撮影場所と、ユーザの顔の画像データに含まれる位置情報で示される撮影場所との間の距離を算出する。そして、当該距離が予め定められた所定距離を超えている場合に、前記ユーザ自身がガスメータ４００を撮影したか否かを確認するために、前記ユーザが所持する通信端末１００に確認メッセージを送信する（ステップＳ２０６）。
【００６０】
次に、検針サーバ２００の料金算出手段２０５は、検針値記憶ＤＢ２５を参照して顧客の前回の指示値を取得し、今回の指示値から前回の指示値を減算することにより、今回の使用量を算出する。料金算出手段２０５は、検針周期ＤＢ２３に記憶された顧客の検針周期と、ガスメータ４００を撮影したユーザの種別（顧客本人、妻、子供、検針員）とに応じた割引率を、料金ＤＢ２４を参照して判断し、利用料金を算出する（ステップＳ２０７）。
検針サーバ２００は、顧客番号、検針日、今回の指示値、今回の使用量、料金を検針値記憶ＤＢ２５に記憶する（ステップＳ２０８）。
【００６１】
なお、上述した動作例における各ステップの順序は一例に過ぎず、例えば、ステップＳ２０１とステップＳ２０２との順序が逆になっていてもよいし、ステップＳ２０１で撮影した画像を即座に通信端末１００から検針サーバ２００に送信し、検針サーバ２００がステップＳ２０５における指示値確認を行い、当該確認結果を通信端末１００に返信してもよい。また、ステップＳ２０２で撮影した画像を即座に通信端末１００から検針サーバ２００に送信し、検針サーバ２００がステップＳ２０４における顧客確認を行い、当該確認結果を通信端末１００に返信してもよい。
【００６２】
以上説明したように、検針サーバ２００は、顧客ＤＢ２２に記憶された認識用データと通信端末１００から送信されてきたユーザの顔の画像データとを照合することにより、ガスメータ４００を撮影したユーザを特定することができ、また、指示値認識用ＤＢ２１に記憶された照合モデルデータと通信端末１００から送信されてきた指示値表示部４０の画像データとを照合することにより、指示値表示部４０の表示態様を特定し、該表示態様に対応する指示値を特定することができる。このように、誰がガスメータ４００を撮影したかを把握した上で、特定された指示値と顧客情報及びガスメータ４００を撮影したユーザとに基づいて利用料金を算出することができるため、ガスメータ４００の撮影者によって予め定められた割引率を適切に適用して利用料金を算出することができる。
【００６３】
また、指示値表示部４０の画像データの撮影日時と、ユーザの顔の画像データの撮影日時との差が所定時間を超えている場合に、ガスメータ４００の指示値表示部４０を撮影したユーザと、顔の画像データで特定されるユーザとが異なる可能性があるため、顔の画像データで特定されるユーザが所持する通信端末１００に確認メッセージを送信して、撮影者の正当性を確認することができる。また、指示値表示部４０の画像データの撮影場所と、ユーザの顔の画像データの撮影場所との距離の差が所定距離を超えている場合に、ガスメータ４００の指示値表示部４０を撮影したユーザと、顔の画像データで特定されるユーザとが異なる可能性があるため、顔の画像データで特定されるユーザが所持する通信端末１００に確認メッセージを送信して、撮影者の正当性を確認することができる。
【００６４】
また、検針時期が到来した旨のメッセージを送信した時点から所定期間が経過しても検針サーバ２００に画像データが送信されてこなかった場合に、検針員が所持する通信端末１００に対して検針を依頼するメッセージを送信することで、長期間検針がされない状態となるのを防ぐことができる。
【００６５】
（第２実施形態）
次に、本発明の第２実施形態について説明する。以下の説明において、第１実施形態と同等の機能を有する構成要素には同一の符号を付し、重複した説明を省略する。第２実施形態の第１実施形態と異なる点は、第１実施形態では指示値の認識を指示値表示部４０を撮影した画像データの画像認識により行っていたのに対して、第２実施形態ではユーザが発声した指示値の音声認識により行う点である。
【００６６】
本実施形態に係る通信端末１００は、図示せぬマイク（「音声入力手段」に対応）を備えており、当該マイクは、ユーザが指示値表示部４０に示された指示値を読み取って発声した場合に当該ユーザの音声を入力して、音声データに変換する。
【００６７】
図１３は、本実施形態に係る検針サーバ２００Ａの機能構成を示すブロック図である。検針サーバ２００Ａは、指示値認識用ＤＢ２１の代わりに音声認識辞書２６を備え、指示値認識手段２０１の代わりに指示値認識手段２０１Ａを備え、料金算出手段２０５の代わりに料金算出手段２０５Ａを備え、認証確認手段２０６の代わりに認識音声確認手段２０７を備えている。
【００６８】
音声認識辞書２６は、音声データとの比較対象となる複数のパターン候補とそれに対応するテキストデータとが記憶された一般的な音声認識用のデータベースである。
指示値認識手段２０１Ａは、音声認識辞書２６に記憶されたパターン候補と、前記検針用データ送信手段により送信されてきた音声データとを照合して、認識尤度の最も大きなパターン候補に対するテキストデータを特定することにより、前記音声データで示される指示値を認識する。
【００６９】
料金算出手段２０５Ａは、指示値認識手段２０１Ａにより認識された指示値と顧客認識手段２０２により特定された顧客情報及び音声データを入力したユーザとに基づいて利用料金を算出する。
【００７０】
認識音声確認手段２０は、指示値認識手段２０１Ａにより認識した指示値に対応するテキストデータを音声データの送信元である通信端末１００に返信し、認識結果を確認する。
次に、図１４を参照して、本実施形態に係る検針システムにおいて、ユーザによる検針の開始時点から説明する。
【００７１】
まず、ユーザは、ガスメータ４００が設置されている場所に行き、通信端末１００を操作して検針用アプリケーションプログラムを起動する。そして、入出力パネル３に表示されるガイダンスに従って、ユーザは、自己の顔を撮影する操作を行う。これにより、通信端末１００のカメラ２は、ユーザの顔を撮影する（ステップＳ３０１）。
【００７２】
次に、ユーザは、撮影したユーザの顔の画像データを送信する操作を行う。これにより、通信端末１００は、ユーザの顔の画像データを検針サーバ２００に送信する（ステップＳ３０２）。
【００７３】
通信端末１００から画像データを受信すると、検針サーバ２００の顧客認識手段２０２は、図１２に示すステップＳ２０４と同様の処理を行い、顧客を認識する（ステップＳ３０３）。
【００７４】
次に、ユーザは、ガスメータ４００の指示値表示部４０を目検で読み取り、通信端末１００に向かって発声する。これにより、通信端末１００のマイクは、顧客の音声を入力し、音声データに変換する（ステップＳ３０４）。
【００７５】
次に、ユーザは、発声した音声を送信する操作を行う。これにより、通信端末１００は、音声データを検針サーバ２００Ａに送信する（ステップＳ３０５）。
音声データを受信すると、検針サーバ２００Ａの指示値認識手段２０１Ａは、当該音声データと音声認識辞書２６に記憶されたパターン候補とを照合して、認識尤度の最も大きなパターン候補に対するテキストデータを特定することにより、前記音声データで示される指示値を認識する（ステップＳ３０６）。
【００７６】
認識音声確認手段２０７は、指示値認識手段２０１Ａにより認識した指示値に対応するテキストデータを通信端末１００に返信する（ステップＳ３０７）。
通信端末１００は、受信したテキストデータを入出力パネル３に表示する。ユーザは、入出力パネル３に表示されたテキストデータが、自己が発声した検針値と一致しているか否かを判断して、音声認識結果が正しいか否かの確認結果を入力する。これにより、通信端末１００は、ユーザにより入力された確認結果を検針サーバ２００Ａに送信する（ステップＳ３０８）。
【００７７】
受信した確認結果が指示値の音声認識結果が正しい旨を示していた場合には、検針サーバ２００Ａの料金算出手段２０５Ａは、図１２のステップＳ２０７における処理と同様に、検針値記憶ＤＢ２５を参照して顧客の前回の指示値を取得し、今回の指示値から前回の指示値を減算することにより、今回の使用量を算出し、検針周期ＤＢ２３に記憶された顧客の検針周期と、音声を入力したユーザの種別（顧客本人、妻、子供、検針員）とに応じた割引率を、料金ＤＢ２４を参照して判断し、利用料金を算出する（ステップＳ３０９）。
【００７８】
検針サーバ２００は、図２のステップＳ２０８における処理と同様に、顧客番号、検針日、今回の指示値、今回の使用量、料金を検針値記憶ＤＢ２５に記憶する（ステップＳ３１０）。
この場合にも、誰が検針したかを正確に把握し、利用料金を算出することができる。
【００７９】
なお、本実施形態では、音声データを解析することにより指示値を発声したユーザを特定してもよい。また、本実施形態にも認証確認手段２０６と同様の機能を設けてもよい。この場合には、指示値表示部４０の撮影場所と撮影日時が、ユーザの音声が通信端末１００に入力された場所と日時に置き換わることとなる。
【００８０】
なお、上述した各実施形態では、指示値表示部４０に配列された複数の数字車で指示値が表されるメータについて説明したが、メータの種類はこれに限定されることはなく、例えば、針式のメータその他任意のアナログメータを使用することができる。
【符号の説明】
【００８１】
１………検針システム、１００………通信端末、２………カメラ、３………入出力パネル、５………デジタルカメラ、５Ｄ………液晶ディスプレイ、８………記憶メディア、２００………検針サーバ、２１………指示値認識用ＤＢ、２２………顧客ＤＢ、２３………検針周期ＤＢ、２４………料金ＤＢ、２５………検針値記憶ＤＢ、２６………音声認識辞書、２０１、２０１Ａ………指示値認識手段、２０２………顧客認識手段、２０３………検針時期通知手段、２０４………検針代行依頼手段、２０５、２０５Ａ………料金算出手段、２０６………認証確認手段、２０７………認識音声確認手段、３００………通信ネットワーク、４００………ガスメータ、４０………指示値表示部、４０Ａ、４０Ｂ、４０Ｃ、４０Ｄ、４０Ｅ、４０Ｆ、４０Ｇ………数字車。
【図１】
0005878024.tif 000002
【図２】
0005878024.tif 000003
【図３】
0005878024.tif 000004
【図４】
0005878024.tif 000005
【図５】
0005878024.tif 000006
【図６】
0005878024.tif 000007
【図７】
0005878024.tif 000008
【図８】
0005878024.tif 000009
【図９】
0005878024.tif 000010
【図１０】
0005878024.tif 000011
【図１１】
0005878024.tif 000012
【図１２】
0005878024.tif 000013
【図１３】
0005878024.tif 000014
【図１４】
0005878024.tif 000015